(57)【要約】【課題】  サービス情報画面の所定表示時間を適宜に更新して、自動取引装置の取引処理に対する利用率を高め可能な金融サービス提供システムを得る。【解決手段】  金融サービス提供システムにおいて、顧客に選択させるための一つ以上のボタンを有するサービス情報画面と、サービス情報画面に対応して、該サービス情報画面の表示時間を制限するための所定表示時間と、所定表示時間を計るためのタイマーと、該タイマーを利用して、サービスサーバから受信したサービス情報画面を所定表示時間表示する表示部と、所定数の各顧客に対し、表示されたサービス情報画面の表示開始時刻と、顧客がサービス情報画面におけるボタンを選択する時点の選択時刻との間における実際表示時間をそれぞれ測定する測定部と、それぞれの実際表示時間に基づいて、所定表示時間を新たに設定して更新する設定更新部とを備える。【選択図】        図１
2007026043.tif 000002
【特許請求の範囲】
【請求項１】
顧客の操作により金融取引処理を行う自動取引装置と、該自動取引装置に接続され、前記金融取引処理を行う際前記自動取引装置を介して前記顧客に金融機関のサービス情報を提供するサービスサーバとを含む金融サービス提供システムにおいて、
顧客に選択させるための一つ以上のボタンを有するサービス情報画面と、
前記サービス情報画面に対応して、該サービス情報画面の表示時間を制限するための所定表示時間と、
前記所定表示時間を計るためのタイマーと、
該タイマーを利用して、前記サービスサーバから受信した前記サービス情報画面を前記所定表示時間表示する表示部と、
所定数の各前記顧客に対し、表示されたサービス情報画面の表示開始時刻と、前記顧客が前記サービス情報画面における前記ボタンを選択する時点の選択時刻との間における実際表示時間をそれぞれ測定する測定部と、
前記それぞれの前記実際表示時間に基づいて、前記所定表示時間を新たに設定して更新する設定更新部と
を有することを特徴とする金融サービス提供システム。
【請求項２】
更に、前記所定数のそれぞれの実際表示時間の平均値を補助するための所定補助時間を有し、
前記設定更新部は、前記それぞれの実際表示時間と共に、更に、前記所定補助時間に基づいて設定動作を行う
ことを特徴とする請求項１記載の金融サービス提供システム。
【請求項３】
前記サービス情報画面、前記所定表示時間及び前記設定更新部は、前記サービスサーバに設けられ、
前記タイマー、前記表示部及び前記測定部は、前記自動取引装置に設けられ、
前記サービスサーバは、前記サービス情報画面及び前記所定表示時間を対応させて格納するサービス情報格納部と、前記サービス情報画面及び対応の前記所定表示時間を前記自動取引装置に送信し、且つ前記自動取引装置から前記実際表示時間を受信するサーバ送受信部とを更に有し、
前記自動取引装置は、前記サービスサーバから前記サービス情報画面及び前記所定表示時間を受信し、且つ、前記測定部に測定された前記実際表示時間を前記サービスサーバへ送信する装置送受信部を更に有する
ことを特徴とする請求項１記載の金融サービス提供システム。
【請求項４】
前記サービスサーバは、前記所定数の前記それぞれの実際表示時間の平均値を補助するために、前記所定数及び前記それぞれの実際表示時間に基づいて、所定補助時間を取得する補助時間取得部を更に有し、
前記設定更新部は、前記それぞれの実際表示時間と共に、更に、取得した前記所定補助時間に基づいて前記設定動作を行うことを特徴とする請求項３記載の金融サービス提供システム。
【請求項５】
前記サービスサーバは、前記顧客の各個人情報を格納する個人情報格納部と、前記個人情報と前記所定補助時間の補助率とを対応させて予め記憶する補助率記憶部とを更に有し、
前記サーバ送信部は、前記所定表示時間を送信すると共に、更に前記補助率を前記自動取引装置へ送信することを特徴とする請求項４記載の金融サービス提供システム。
【請求項６】
前記個人情報は、前記顧客の年齢を示すことを特徴とする請求項５記載の金融サービス提供システム。
【請求項７】
前記個人情報は、前記顧客の性別を示すことを特徴とする請求項５記載の金融サービス提供システム。
【請求項８】
前記サービスサーバは、前記サービス情報画面及び対応の前記所定表示時間を入力するための入力部と、前記サービス情報画面の特徴を示す特徴データを取得する特徴取得部とを更に有し、
前記サービス情報格納部は、更に、前記サービス情報画面及び対応の前記所定表示時間に対応させて前記特徴データを格納し、
新たな前記サービス情報画面及び該新たなサービス情報画面に対応する前記所定表示時間が入力されると、前記特徴取得部は、前記新たなサービス情報画面の特徴データを取得し、前記設定更新部は、更に、新たに取得した前記特徴データと、前記サービス情報格納部に格納されている前記特徴データとに基づいて、入力された対応の前記所定表示時間を新たに設定して更新することを特徴とする請求項３記載の金融サービス提供システム。
【請求項９】
前記特徴データは、前記サービス情報画面における文字数を示す文字数データからなることを特徴とする請求項８記載の金融サービス提供システム。
【請求項１０】
前記特徴データは、前記サービス情報画面における情報の分野を示すキーワードデータからなることを特徴とする請求項８記載の金融サービス提供システム。
【請求項１１】
前記サービス情報画面は、前記サービスサーバに設けられ、
前記タイマー、前記表示部、前記測定部、前記所定表示時間及び前記設定更新部は、前記自動取引装置に設けられ、
前記サービスサーバは、前記サービス情報画面を格納するサービス情報格納部と、前記サービス情報画面を前記自動取引装置に送信するサーバ送信部とを更に有し、
前記自動取引装置は、前記サービス情報画面に対応させて前記所定表示時間を記憶する時間記憶部と、前記サービスサーバから前記サービス情報画面を受信する装置受信部とを更に有する
ことを特徴とする請求項１記載の金融サービス提供システム。
【発明の詳細な説明】
【技術分野】
【０００１】
本発明は、自動取引装置を介して金融機関のサービス情報を顧客に提供するための金融サービス提供システムに関するものである。
【背景技術】
【０００２】
顧客が例えば振り込み或いは現金の引き落としを行うために、金融機関の自動取引装置を利用している。この自動取引装置は、顧客の操作によって、振込処理或いは出金処理等の取引処理を行うことができる。この取引処理を行う際、自動取引装置を介して、金融機関の例えば、教育ローンサービスや定期預金サービス等のサービス情報を顧客に提供することが実用化されている。
【０００３】
このサービス情報を顧客に提供するためには、通信線を介して自動取引装置に接続される例えば顧客関連管理サーバ（ＣＲＭＳ：Customer Relationship Management Server）がサービスサーバとして設けられている。この顧客関連管理サーバは、金融機関の顧客の口座番号等の個人情報を記憶しており、顧客が自動取引装置を利用する際、自動取引装置から受信した口座番号に基づいて、該顧客に対する適宜なサービス情報を選択して自動取引装置に送信し、これにより顧客にサービス情報を提供している。
【０００４】
この場合、自動取引装置は、例えば顧客に取引処理中を知らせるための処理中画面を表示することなく、この処理中画面に代えて、サービス情報画面としての例えば案内画面を表示する。この案内画面には、例えば顧客にサービス情報の提供を要求させるための要求入力ボタンを設けることができる。
【０００５】
この要求入力ボタンが顧客に選択されると、自動取引装置及び顧客関連管理サーバ間の送受信によって、更なる詳しい例えばサービスを受けるための説明や申請手順等の申請画面を表示されることになる。そして、顧客が対応する申請操作によってサービスを受けることができる。この申請の終了に伴って、申請画面が消えて、取引処理を継続すべき表示待ちの取引画面が表示される。
このように自動取引装置を介して顧客にサービス情報を提供すると、取引処理の時間が増大してしまうが、顧客にとっては非常に便利である。
【０００６】
また、この案内画面には、サービス情報の提供をキャンセルさせるキャンセルボタンを設けることができる。このキャンセルボタンが顧客に選択されると、この案内画面が直ちに消えて、取引処理を継続すべき表示待ちの取引画面が表示される。
【発明の開示】
【発明が解決しようとする課題】
【０００７】
上記のように、この案内画面或いは申請画面は、これに設けているボタンが押された場合、直ちに消えて次のサービス情報画面に遷移するか、或いは、表示待ちの取引処理画面に遷移するかのことになる。しかし、いずれかのこのボタンが押されない場合、このようなサービス情報画面は、所定表示時間まで表示されることとなる。
【０００８】
この所定表示時間は、一般的には、サービス情報提供設計者が自動取引装置を利用する全ての顧客を考慮した上で予め相対的に長く設定した時間となっている。そのため、顧客がサービス情報の提供を無視する場合、即ち、顧客がサービス情報画面に対して操作を行わない場合、サービス情報画面は、この長い所定表示時間まで表示されてしまうので、取引処理が終了するまで時間がかかってしまう。これによって、自動取引装置の取引処理に対する利用率が低下してしまう。
【０００９】
従って、サービス情報画面の表示時間を適宜に設定して、自動取引装置の取引処理に対する利用率を高め可能な金融サービス提供システムが望まれていった。
【課題を解決するための手段】
【００１０】
本発明は、以上の点を解決するために、次の構成を採用する。
〈構成〉
本発明に係る金融サービス提供システムは、顧客の操作により金融取引処理を行う自動取引装置と、該自動取引装置に接続され、金融取引処理を行う際自動取引装置を介して顧客に金融機関のサービス情報を提供するサービスサーバとを含み、顧客に選択させるための一つ以上のボタンを有するサービス情報画面と、サービス情報画面に対応して、該サービス情報画面の表示時間を制限するための所定表示時間と、所定表示時間を計るためのタイマーと、該タイマーを利用して、サービスサーバから受信したサービス情報画面を所定表示時間表示する表示部と、所定数の各顧客に対し、表示されたサービス情報画面の表示開始時刻と、顧客がサービス情報画面におけるボタンを選択する時点の選択時刻との間における実際表示時間をそれぞれ測定する測定部と、それぞれの実際表示時間に基づいて、所定表示時間を新たに設定して更新する設定更新部とを有することを特徴とする。
【００１１】
本発明に係る金融サービス提供システムは、更に、所定数のそれぞれの実際表示時間の平均値を補助するための所定補助時間を有することができる。この場合、設定更新部は、それぞれの実際表示時間と共に、更に、所定補助時間に基づいて設定動作を行う。
【００１２】
本発明に係る金融サービス提供システムにおいて、サービス情報画面、所定表示時間及び設定更新部をサービスサーバに設け、タイマー、表示部及び測定部を自動取引装置に設けることができる。この場合、サービスサーバは、サービス情報画面及び所定表示時間を対応させて格納するサービス情報格納部と、サービス情報画面及び対応の所定表示時間を自動取引装置に送信し、且つ自動取引装置から実際表示時間を受信するサーバ送受信部とを更に有し、自動取引装置は、サービスサーバからサービス情報画面及び所定表示時間を受信し、且つ、測定部に測定された実際表示時間をサービスサーバへ送信する装置送受信部を更に有する。
【００１３】
また、サービスサーバは、所定数のそれぞれの実際表示時間の平均値を補助するために、所定数及びそれぞれの実際表示時間に基づいて、所定補助時間を取得する補助時間取得部を更に有することができる。そして、設定更新部は、それぞれの実際表示時間と共に、更に、取得した所定補助時間に基づいて設定動作を行う。
【００１４】
また、サービスサーバは、顧客の各個人情報を格納する個人情報格納部と、個人情報と所定補助時間の補助率とを対応させて予め記憶する補助率記憶部とを更に有することができる。そして、サーバ送受信部は、所定表示時間と共に、更に顧客の個人情報に対応する補助率を自動取引装置へ送信する。
【００１５】
個人情報として、顧客の年齢や顧客の性別等を採用することができる。
【００１６】
また、サービスサーバは、サービス情報画面及び対応の所定表示時間を入力するための入力部と、サービス情報画面の特徴を示す特徴データを取得する特徴取得部とを更に有することができる。そして、サービス情報格納部は、更に、サービス情報画面及び対応の所定表示時間に対応させて特徴データを格納し、新たなサービス情報画面及び該新たなサービス情報画面に対応する所定表示時間が入力されると、特徴取得部は、新たなサービス情報画面の特徴データを取得し、設定更新部は、更に、新たに取得した特徴データと、サービス情報格納部に格納されている特徴データとに基づいて、入力された対応の所定表示時間を新たに設定して更新する。
【００１７】
特徴データとして、サービス情報画面における文字数を示す文字数データや、サービス情報画面における情報の分野を示すキーワードデータ等を採用することができる。
【００１８】
また、本発明に係る金融サービス提供システムにおいて、サービス情報画面をサービスサーバに設け、タイマー、表示部、測定部、所定表示時間及び設定更新部を自動取引装置に設けることができる。この場合、サービスサーバは、サービス情報画面を格納するサービス情報格納部と、サービス情報画面を自動取引装置に送信するサーバ送信部とを更に有し、自動取引装置は、サービス情報画面に対応させて所定表示時間を記憶する時間記憶部と、サービスサーバからサービス情報画面を受信する装置受信部とを更に有する。
【発明の効果】
【００１９】
本発明に係る金融サービス提供システムによれば、顧客にサービス情報を提供するためのサービス情報画面に対し、その所定表示時間が、設定部によって少なくとも実際表示時間に基づいて新たに設定して更新されるので、適宜な所定表示時間を得ることができる。これにより、自動取引装置の取引処理に対する利用率を高めることができる。
【発明を実施するための最良の形態】
【００２０】
以下、本発明に係る金融サービス提供システムを図で示す実施形態によって詳細に説明する。
【実施例１】
【００２１】
図１は、本発明に係る金融サービス提供システムの実施例１の構成を示すブロック図である。
本発明に係る金融サービス提供システム１０は、図１に示されているように、例えば銀行のコーナーに設置されている自動取引装置１１と、金融機関サービスセンターに設定されている顧客関連管理サーバ（ＣＲＭＳ）１２と、金融機関センターに設定されているホストコンピュータ１３を備えている。これら自動取引装置１１、顧客関連管理サーバ１２及びホストコンピュータ１３は、通信回線１４を介して、相互に接続されている。
【００２２】
自動取引装置１１は、振込取引処理や、出金取引処理等の取引処理を行い且つ顧客関連管理サーバ１２からの金融機関サービス情報を顧客に提供するために、表示入力部１５、一時記憶部１６、タイマー１７、測定部１８、装置送受信部１９、取引カード読取部２０及びこれらを制御する装置制御部２１を備えている。
【００２３】
表示入力部１５は、例えばタッチパネルからなり、取引処理を実行させるための取引処理画面やサービス情報の提供を実行させるためのサービス情報画面等を表示し、また、それぞれの画面に応じて、顧客に選択データや要求入力データ等を入力させる機能を有している。
【００２４】
一時記憶部１６は、ホストコンピュータ１３から受信した例えば顧客確認データ等の取引処理データと、顧客関連管理サーバ１２から受信したサービス情報画面及び該サービス情報画面の表示時間を示す所定表示時間とや、測定部１８によって測定して得た測定データ等を一時的に記憶する機能を有している。
【００２５】
タイマー１７は、時間を順に或いは逆に計る機能を有している。
測定部１８は、タイマー１７を利用して、サービス情報画面の実際の表示時間を測定する機能を有している。
【００２６】
装置送受信部１９は、通信回線１４を介して、顧客関連管理サーバ１２とホストコンピュータ１３とのそれぞれの間にデータや情報等の送受信を行う機能を有している。
【００２７】
取引カード読取部２０は、例えばキャッシュカードのような取引カードを検知して該取引カードに記憶されている例えば顧客の名前や口座番号等のデータを読み取る機能を有している。
【００２８】
装置制御部２１は、上記した各手段や部等に表示入力機能、一時記憶機能、時間計算機能、表示時間測定機能、送受信機能及び読取機能を実現させるための制御プログラム２２を備えている。
【００２９】
顧客関連管理サーバ１２は、自動取引装置１１を介して顧客にサービス情報を提供するために、顧客個人情報格納部２３と、サービス情報格納部２４と、サーバ送受信部２５と、一時記憶部２６と、設定更新部２７と、これらを制御するサーバ制御部２８とを備えている。
【００３０】
顧客個人情報格納部２３は、例えば顧客のキャッシュカードのような取引カードに対応させて、顧客の名前、口座番号等の個人情報を格納している。
【００３１】
図２は、顧客個人情報格納部の構成を示す説明図である。
この顧客個人情報格納部２３には、図２に示されているように、「名前」、「口座番号」、「年齢」、「性別」及び「職業」等の項目が設けられており、更にこれの項目に対応して、「適宜サービス」項目が設けられている。
【００３２】
これらの項目には、顧客の名前、口座番号、年齢、性別及び職業等の個人情報を示すデータと、該顧客の個人情報に合わせて適宜なサービスを示すサービス名とが格納されている。
例えば、顧客Ａに対応して、その口座番号、年齢、性別及び職業は、「１２３４５６Ａ」、「３０」、「男」及び「正社員」となっており、そして、この顧客に対して提供すべき適宜なサービスは、「自動車ローン」となっている。
【００３３】
顧客関連管理サーバ１２において、また、多種のサービス例えば住宅ローンサービスや、定期預金サービス等を提供するために、サービス情報格納部２４は、それぞれのサービス情報、即ち、対応の各サービス情報画面を格納している。
【００３４】
図３は、実施例１におけるサービス情報格納部の構成を示す説明図である。
このサービス情報格納部２４には、「サービス名」項目及び複数の画面項目「画面１」、「画面２」、…「画面Ｎ」が設けられており、更に、各サービスに対応して、「所定表示時間」項目が設けられている。
ここで、所定表示時間は、サービス情報画面の表示を制限するために最大の表示時間となっており、その初期値は、金融サービス提供システムを開発する設計者によって、自動取引装置１１を利用する全ての顧客が利用可能に相対的に長く設定されている。本実施例では、一つサービスの全てのサービス情報画面に対して、同一の所定表示が採用されている。
【００３５】
これらの項目には、各項目データが格納されている。例えばサービス「自動車ローン」に対応して、三つの画面「案内」、「予約」及び「申請」が格納され、これらの同一の所定表示時間は、３０秒となっている。
【００３６】
また、顧客関連管理サーバ１２において、サーバ送受信部２５は、通信回線１４を介して、自動取引装置１１との間に各情報、例えば上記のサービス情報画面等の送受信を行うために用いられている。
一時記憶部２６は、各データ、例えば自動取引装置１１からの受信データを一時的に記憶する機能を有している。該一時記憶部２６には、例えば自動取引装置１１からの実際表示時間を記憶するための実際表示時間記憶部分２９が設けられている。
【００３７】
そして、設定更新部２７は、所定数の顧客に対して、一時記憶部２６に記憶されている実際表示時間に基づいて、所定表示時間を更新して新たに設定する機能を有している。該設定更新部２７には、所定数を記憶している所定数記憶部３０が設けられている。
サーバ制御部２８は、制御プログラムを有し、制御機能を果たすために用いられている。
【００３８】
ホストコンピュータ１３は、顧客に関する識別情報や口座番号、預金残高金額等を含む口座情報を記憶しており、この口座情報は、自動取引装置側の取引処理を行わせるために用いられている。
【００３９】
〈実施例１の動作〉
次に、本発明に係る金融サービス提供システム１０の動作をフローチャートに沿って説明する。
図４は、本発明に係る金融サービス提供システムの実施例１の動作を示すフローチャートである。
【００４０】
まず、顧客が自動取引装置１１の前に立って検知センサ（図示しない）により検知されると、装置制御部２１は、制御プログラム２２の指令を受け、表示入力部１５、一時記憶部１６、タイマー１７、測定部１８、装置送受信部１９及び取引カード読取部２０に対して、制御を開始する（ステップ１）。
尚、本実施例では、サービスを「自動車ローン」と仮定し、該サービスに対応させて、上記した所定数は、「３」と仮定する。即ち、「自動者ローン」のサービス情報の提供を利用する三人の顧客の操作に基づいて、サービス情報画面の所定表示時間を設定する。
【００４１】
これにより、表示入力部１５は取引処理を選択するための取引処理選択画面を表示して顧客にいずれかの取引処理を選択させる（ステップ１）。
顧客、例えば顧客Ａが取引処理選択画面上の例えば「出金取引処理」メニューボタンを選択すると、装置制御部２１は、表示入力部１５からの選択データに基づいて、出金取引処理を起動する（ステップ２）。
【００４２】
図５は、出金取引処理における処理画面を順次示す説明図である。
この出金取引処理において、「カード挿入」、「暗証入力」、「金額入力」、「＜取引処理中＞サービス情報案内」、「出金案内」及び「カード明細出力」の六つの処理画面が順次表示され、この中、「＜取引処理中＞サービス情報」の処理画面は、サービス情報を顧客に提供するためのサービス情報画面である。
【００４３】
表示入力部１５は、まず「カード挿入」処理画面を表示して、顧客Ａに、取引カード読取部２０の挿入口（図示しない）に取引カードを挿入させ、取引カード読取部２０に取引カードから少なくとも顧客Ａの口座番号を読み取らせる（ステップ３）。ここで、顧客Ａの口座番号は、例えば「１２３４５６Ａ」となっている。
【００４４】
装置送受信部１９は、読み取った顧客Ａの口座番号「１２３４５６Ａ」を含む顧客データを顧客関連管理サーバ１２へ送信する（ステップ４）。
【００４５】
顧客関連管理サーバ１２のサーバ送受信部２５が自動取引装置１１から顧客データを受信すると、サーバ制御部２８は、少なくとも受信した口座番号「１２３４５６Ａ」に基づいて、顧客個人情報格納部２３を検索して、該口座番号に対応するサービスデータ「自動車ローン」を読み出す（ステップ５）。
【００４６】
その後、サーバ制御部２８は、読み出したサービスデータ「自動車ローン」に基づいて、サービス情報格納部２４を検索して、該「自動車ローン」サービスにおける全てのサービス情報画面「案内」、「予約」及び「申請」と、これら同一の所定表示時間「３０」とを読み出して、サーバ送受信部２５により自動取引装置１１へ送信させる（ステップ６）。
【００４７】
そして、自動取引装置１１における一時記憶部１６は、受信したサービス情報画面「案内」、「予約」及び「申請」と、所定表示時間「３０」とを一時的に記憶する（ステップ７）。
【００４８】
一方、上記ステップ３において口座番号が読み取られると、表示入力部１５は、続いて、「暗証入力」及び「金額入力」の処理画面をそれぞれ表示して顧客Ａに暗証番号及び金額を入力させる（ステップ８）。
【００４９】
顧客Ａが入力した暗証番号及び金額とに基づいて、装置送受信部１９を制御して、ホストコンピュータ１３との間で、該ホストコンピュータに記憶されている顧客の口座情報に対する照合処理を行う（ステップ９）。
【００５０】
この照合処理に伴って、装置制御部２１は、一時記憶部１６から、まずサービス情報画面「案内」及び所定表示時間「３０」を読み出して、所定表示時間「３０」に基づいて、この「案内」画面を最大３０秒まで表示できるように表示入力部１５に表示させる（ステップ１０）。
該「案内」画面には、図５に示されているように、ボタン「予約」、「申請」及び「キャンセル」が設けられている。後述するように、ボタン「予約」が選択される場合、サービス情報画面「予約」が表示され、ボタン「申請」が選択される場合、サービス情報画面「申請」が表示され、そして、ボタン「キャンセル」が選択される場合、取引処理のための取引処理画面「出金案内」が表示される。
尚、全てのボタンが選択されない場合、この「案内」画面が３０秒表示された後、取引処理画面「出金案内」が表示される。
【００５１】
この「案内」画面が表示されると共に、測定部１８は、タイマー１７を利用して、このサービス情報画面「案内」の表示開始時間Ｔ１ｓ（例えば、Ｔ１ｓ＝０）を得て、顧客Ａの口座番号に対応させて一時記憶部１６に一時的に記憶させる（ステップ１１）。
【００５２】
顧客Ａがこの「案内」画面に設けている三つボタンのいずれか、例えば「キャンセル」ボタンを操作すると、装置制御部２１は、表示入力部１５にこの「案内」画面を消して次の取引処理画面「出金案内」を表示させる（ステップ１２）と共に、測定部１８にこの「案内」画面の表示終了時間Ｔ１ｅ（例えば、Ｔ１ｅ＝２３）を得させる（ステップ１１）。この表示終了時間Ｔ１ｅが、上記した表示開始時間Ｔ１ｓに対応して一時記憶部１６に一時的に記憶される（ステップ１１）。
【００５３】
この「キャンセル」ボタンに代えて「予約」或いは「申請」ボタンが選択される場合、サービス情報画面「予約」或いは「申請」が一時記憶部１６から読み出されて表示されると共に、「案内」画面の表示終了時間Ｔ１ｅが上記したと同様に得られて一時的に記憶される（ステップ１１）。
【００５４】
尚、本実施例では、各画面に対して、同一の所定表示時間が採用されているので、この「予約」或いは「申請」画面が表示される場合、それらの実際表示時間を測定しないようにしている。
【００５５】
上記したように、この「案内」、「予約」或いは「申請」画面の表示が終了すると、表示入力部１５は、次の取引処理画面「出金案内」を表示する（ステップ１２）。
この時、装置制御部２１は、現金を出金機（図示せず）により出金させるので、顧客が現金を取り出すことができる。
【００５６】
出金後、装置制御部２１は、また、表示入力部１５に「カード明細出力」画面を表示させる（ステップ１３）。この時、装置制御部２１は、利用明細票を印刷して取引カードと共に、取引カード読取部２０の挿入口から排出させ（ステップ１３）、出金取引処理を終了する。
【００５７】
また、上記したステップ１１において一時記憶部１６に記憶されている表示開始時間Ｔ１ｓ及び表示終了時間Ｔ１ｅに基づいて、測定部１８は、更に、対応の実際表示時間Ｔ１（Ｔ１＝Ｔ１ｅ―Ｔ１ｓ＝２３）を取得する（ステップ１４）。取得したこれらの実際表示時間Ｔ１は、少なくとも上記したサービス「自動車ローン」に対応させて、装置送受信部１９によって、顧客関連管理サーバ１２に送信される（ステップ１４）。
【００５８】
サーバ制御部２８は、受信したこれらの実際表示時間をサービス「自動車ローン」に対応させて、一時記憶部２６の実際表示時間記憶部分２９に一時的に記憶される（ステップ１５）。
【００５９】
図６は、実施例１における実際表示時間記憶部分の構成を示す説明図である。
この実際表示時間記憶部分２９には、図６に示されているように、少なくとも「口座番号」、「サービス名」及び「実際表示時間」三の項目が設けられている。
これらの項目には、上記した顧客Ａに対する取引処理によって、「１２３４５６Ａ」、「自動車ローン」及び「２３」が格納される。
【００６０】
尚、この実際表示時間記憶部分２９には、「自動車ローン」サービスに対応して、既に二つの記録が設けられていると仮定する。即ち、口座番号「５６１２３４Ｅ」及び「６１２３４５Ｆ」に対応して、それぞれ、実際表示時間「２１」及び「１９」が既に記憶されていることとする。
【００６１】
そして、設定更新部２７は、実際表示時間を所定の顧客数分収集したと判定すると、収集した実際表示時間を基に、新たな所定表示時間を算出する。即ち、自己側の所定数記憶部に記憶している所定数「３」に基づいて、「自動車ローン」サービスに対して、実際表示時間記憶部分２９に三人の顧客に対応する実際表示時間が記憶されていると判定して、これらの実際表示時間「２１」、「１９」及び「２３」を読み出して、それらの平均値を求める（ステップ１６）。この平均値は、「２１」となる。
【００６２】
更に、設定更新部２７は、サービス情報格納部２４に対して、この平均値「２１」に基づく所定表示時間の更新動作を行う（ステップ１７）。即ち、サービス情報格納部２４において、サービス「自動車ローン」に対応する所定表示時間は、「３０」から「２１」に変更される。
【００６３】
〈変形例〉
上記した実施例１では、一つのサービスにおけるそれぞれのサービス情報画面に対して、同一の所定表示時間を採用している。これに代えて、例えば各サービス画面毎に、専用的な所定時間を採用することができる。
この場合について、上記した実施例１の構成を利用して、次の動作を行うことができる。
【００６４】
図７は、変形例におけるサービス情報格納部の構成を示す説明図である。
サービス情報格納部３１には、図７に示されているように、複数の画面項目「画面１」、「画面２」、…「画面Ｎ」に対応して、それぞれ、「所定表示時間」項目が設けられている。これらの所定表示時間は、各画面の専用的な表示時間となっている。
例えばサービス「自動車ローン」における三つの画面「案内」、「予約」及び「申請」に対応して、それぞれの所定表示時間は、３０秒、２８秒及び２５秒となっている。
【００６５】
この場合、上記した実施例１におけるステップ１１の代わりに、サービス情報画面「案内」画面に設けている三つボタンのいずれかを選択することによって、サービス情報画面「案内」に対応する表示開始時間Ｔ１ｓ及び表示終了時間Ｔ１ｅを取得した後、サービス情報画面「予約」或いは「申請」が表示される場合、測定部１８は、更にそれらの表示開始時間Ｔ２ｓ及びＴ３ｓと、表示終了時間Ｔ２ｅ及びＴ３ｅとを測定する。
【００６６】
そして、上記した実施例１におけるステップ１４の代わりに、測定部１８は、また、一時記憶部１６に記憶されている各表示開始時間Ｔ１ｓ〜Ｔ３ｓ及び表示終了時間Ｔ１ｅ〜Ｔ３ｅに基づいて、更に、対応の実際表示時間Ｔ１（Ｔ１＝Ｔ１ｅ―Ｔ１ｓ）、Ｔ２（Ｔ２＝Ｔ２ｅ―Ｔ２ｓ）及びＴ３（Ｔ３＝Ｔ３ｅ―Ｔ３ｓ）を取得する。取得したこれらの実際表示時間Ｔ１、Ｔ２及びＴ３は、上記した画面「案内」、「予約」及び「申請」に対応させて、装置送受信部１９によって、顧客関連管理サーバ１２に送信される。
【００６７】
その後、上記した実施例１におけるステップ１５の代わりに、サーバ制御部２８は、受信したこれらの実際表示時間Ｔ１、Ｔ２及びＴ３を一時記憶部２６の実際表示時間記憶部分２９に記憶される。
【００６８】
図８は、変形例における実際表示時間記憶部分の構成を示す説明図である。
この実際表示時間記憶部分３２には、図８に示されているように、「サービス名」項目に対応して、「画面１」、…、「画面ｎ」項目が設けられている。これらの項目に対応して、それぞれの「実際表示時間」項目が設けられている。
これらの「実際表示時間」項目には、例えば、上記した顧客Ａに対する取引処理によって、「１２３４５６Ａ」に対応して、「２１」、「２１」及び「１５」が格納される。
【００６９】
尚、この実際表示時間記憶部分３２には、口座番号「５６１２３４Ｅ」に対応して、実際表示時間データ「１９」、「１８」及び「１８」が既に記憶され、口座番号「６１２３４５Ｆ」に対応して、実際表示時間データ「２３」、「２１」及び「１８」が既に記憶されていることとする。
【００７０】
そして、上記した実施例１におけるステップ１６の代わりに、設定更新部２７は、自己側の所定数記憶部に記憶している所定数「３」に基づいて、「自動車ローン」サービスの「案内」画面に対して実際表示時間「２１」、「１９」及び「２３」を読み出して、それらの平均値「２１」を求め、「予約」画面に対して実際表示時間「２１」、「１８」及び「２１」を読み出して、それらの平均値「２０」を求め、更に、「申請」画面に対して実際表示時間「１５」、「１８」及び「１８」を読み出して、それらの平均値「１７」を求める。
これにより、サービスを構成する複数画面のそれぞれについて、適正な所定表示時間を設定することができる。
【００７１】
更に、上記した実施例１におけるステップ１７の代わりに、設定更新部２７は、サービス情報格納部３１に対して、既存の所定表示時間「３０」、「２８」及び「２５」をこれら平均値「２１」、「２０」及び「１７」に更新する。これにより、サービスを構成する複数画面のそれぞれについて適正な所定表示時間を設定することができる。
【実施例２】
【００７２】
図９は、本発明に係る金融サービス提供システムの実施例２の構成を示すブロック図である。
本実施例において、実施例１と同様な構成を同一の符号で示し、この同様な構成についての説明を省略する。
本発明に係る金融サービス提供システム４０は、図９に示されているように、自動取引装置１１と、顧客関連管理サーバ（ＣＲＭＳ）４１と、ホストコンピュータ１３を備えている。
【００７３】
顧客関連管理サーバ１２は、顧客個人情報格納部２３と、サービス情報格納部４２と、サーバ送受信部２５と、一時記憶部２６と、設定更新部４６と、入力部４３と、特徴取得部４４と、これらを制御するサーバ制御部４５とを備えている。
【００７４】
図１０は、実施例２におけるサービス情報格納部の構成を示す説明図である。
このサービス情報格納部４２には、「サービス名」項目及び複数の画面項目「画面１」、「画面２」、…「画面Ｎ」が設けられており、また、各「画面」項目に対応して、それぞれの「所定表示時間」項目と「文字数」項目が設けられており、更に、「サービス名」に対応して、「キーワード」項目が設けられている。
【００７５】
これらの項目には、既存の各項目データが格納されている。例えばサービス「自動車ローン」に対応して、三つの画面「案内」、「予約」及び「申請」、所定表示時間「２１」、「２０」及び「１７」、文字数「４５」、「３２」及び「２２」、キーワード「ローン」が格納されている。
尚、これら既存の所定表示時間は、設定更新部２７によって更新されており、かつ当該サービスの所定表示時間が更新されたことは、フラグ情報等により判断可能となっているものとする。
【００７６】
また、顧客関連管理サーバ１２において、入力部４３は、新たなサービス情報について、新たなサービス情報画面と対応の所定表示時間を入力する機能を有する。
特徴取得部４４は、サービス情報画面の特徴、例えば文字数やキーワードを示す特徴データを取得する機能を有する。
尚、サービス情報格納部に記憶されている上記の文字数やキーワードなどが、入力部４３の入力動作を行った後、特徴取得部４４によって取得されたものである。
【００７７】
そして、設定更新部４６は、実施例１における設定更新部２７が持つ機能に加えて、新たに入力されたサービス情報画面に対する初期値の所定表示時間を更新する機能を有している。
サーバ制御部４５は、制御プログラムを有し、制御機能を果たすために用いられている。
【００７８】
〈実施例２の動作〉
次に、本発明に係る金融サービス提供システム４０の動作をフローチャートに沿って説明する。
図１１は、本発明に係る金融サービス提供システムの実施例２の動作を示すフローチャートである。
【００７９】
顧客関連管理サーバ４１において、入力部４３は、新たなサービス情報、例えば「教育ローン」サービスに関する情報に対して、そのサービス情報画面「案内」及び「入力」をインストールする（ステップ１）。このインストールに伴って、これら画面の所定表示時間の初期値「３５」及び「３０」も入力される（ステップ１）。
【００８０】
入力されたこのサービス情報画面「案内」及び「入力」と、所定表示時間の初期値「３５」及び「３０」とが、図１０に示されているように、サービス情報格納部４２に記憶される（ステップ２）。
【００８１】
続いて、特徴取得部４４は、入力されたサービス名「教育ローン」と、画面「案内」及び「入力」とに対して、キーワード及び文字数を特徴データとして取得する（ステップ３）。本実施例では、キーワードデータが「ローン」となっており、文字数データが「４２」及び「２０」となっている。
【００８２】
その後、設定更新部４６は、このキーワード「ローン」及び文字数「４２」及び「２０」に基づいて、既存のサービス情報画面に対して、近似のキーワードデータ及び文字数データ、即ち、近似の特徴データを検索する（ステップ４）。
【００８３】
その結果、設定更新部４６は、自動車ローンの所定表示時間が更新されており、かつ、教育ローンの「案内」画面が自動車ローンの「案内」画面に近似し、教育ローンの「入力」画面が自動車ローンの「申請」画面に近似していると判断する（ステップ５）。
【００８４】
そして、設定更新部４６は、自動車ローンの「案内」及び「申請」画面に対応するそれぞれの所定表示時間「２１」及び「１７」を読み出して、更に、教育ローンの「案内」及び「入力」画面の所定表示時間の初期値「３５」及び「３０」を読み出した「２１」及び「１７」に変更する（ステップ６）。
これにより、類似するサービスの所定表示時間が更新されている場合、類似するサービスの類似する画面の所定表示時間を利用することができる。
【実施例３】
【００８５】
図１２は、本発明に係る金融サービス提供システムの実施例３の構成を示すブロック図である。
本実施例において、実施例１及び２と同様な構成を同一の符号で示し、この同様な構成についての説明を省略する。
本発明に係る金融サービス提供システム５０は、図９に示されているように、自動取引装置１１と、顧客関連管理サーバ（ＣＲＭＳ）５１と、ホストコンピュータ１３を備えている。
【００８６】
顧客関連管理サーバ１２は、顧客個人情報格納部２３と、サービス情報格納部２４と、サーバ送受信部２５と、一時記憶部２６と、設定更新部５２と、補助率記憶部５３と、補助時間取得部５４と、これらを制御するサーバ制御部５５とを備えている。
【００８７】
補助率記憶部５３は、サービス情報画面の所定表示時間に対して、更に補助時間を与えるための補助率を記憶している。
図１３は、補助率記憶部の構成を示す説明図である。
該補助率記憶部５３には、「年齢層」及び「補助率」項目が設けられ、これら項目には、各データが記憶されている。
【００８８】
補助時間取得部５４は、実施例１における実際表示時間に基づいて、例えば、計算式を用いて、サービス情報格納部２４に記憶されている既存の所定表示時間を補助するための補助時間を取得する機能を有する。
【００８９】
そして、設定更新部４６は、実施例１における設定更新部２７が持つ機能に加えて、更に補助時間に基づいて設定更新動作を行う機能を有している。
サーバ制御部５５は、制御機能を果たし、更に、補助率記憶部５３を利用して、サーバ送受信部２５に、所定表示時間と共に補助率を自動取引装置１１へ送信させる機能を有している。
【００９０】
自動取引装置１１には、更に、受信した補助率に基づいて、受信した所定表示時間を補正するための表示時間補正部５６が設けられている。
【００９１】
〈実施例３の動作〉
次に、本発明に係る金融サービス提供システム５０の動作をフローチャートに沿って説明する。
図１４は、本発明に係る金融サービス提供システムの実施例３の動作を示すフローチャートである。
【００９２】
実施例１のステップ１４で、自動車ローンの「案内」画面に対して、例えば所定数ｎの顧客に対応する実際表示時間Ｔ１―１、Ｔ１−２、…、Ｔ１−ｎが自動取引装置１１から顧客関連管理サーバ４１へ送信されると、顧客関連管理サーバ５１における補助時間取得部５４は、次の計算式を用いて、補助時間を求める（ステップ１）。
Ｔｈｊ＝Ｚ＊（１／ｎ―１）＊（（Ｔ１−１２＋Ｔ１−２２＋…＋Ｔ１−ｎ２）
―Ｔｈｋ＊（Ｔ１−１＋Ｔ１−２＋…＋Ｔ１−ｎ））
ここで、Ｔｈｋ＝（Ｔ１−１＋Ｔ１−２＋…＋Ｔ１−ｎ）／ｎ
即ち、Ｔｈｋはそれぞれの実際表示時間の平均値である。
また、Ｚは、係数であり、１から３までの数に設定され、大きければ大きいほどサービス情報画面を読める顧客が多くなる。尚、このＺの設定は、補助時間取得部５４は、予め記憶しても良く、また、顧客の年齢などを考慮した上で決めても良い。
【００９３】
この補助時間Ｔｈｊが得られると、設定更新部５２は、この実際表示時間の平均値Ｔｈｋと補助時間Ｔｈｊとの和を求めて、新たな所定表示時間Ｔａとする（ステップ２）。
更に、設定更新部５２は、サービス情報格納部２４に対して、自動車ローンの全ての画面に対応する同一の所定表示時間「３０」を、この新たな所定表示時間Ｔａに更新する（ステップ３）。
【００９４】
また、例えば顧客Ａが再び自動取引装置１１を利用し、上記したと同様に、自動車ローンのサービス情報が再び提供される場合、サーバ制御部５５は、サービス情報格納部２４から、自動車ローンのサービス情報画面を読み出すと共に、この新たな所定表示時間Ｔａを読み出す（ステップ４）。
【００９５】
更に、サーバ制御部５５は、実施例１のステップ４におけると同様に受信した自動取引装置１１から顧客Ａの口座番号「１２３４５６Ａ」に基づいて、顧客個人情報格納部２３を検索して顧客Ａの年齢「３０」を読み出す（ステップ５）。
【００９６】
また、サーバ制御部５５は、読み出した顧客Ａの年齢「３０」に基づいて、補助率記憶部５３を検索して、対応の補助率「０．８」を読み出す（ステップ６）。
【００９７】
続いて、サーバ制御部５５は、読み出したサービス情報画面、その新たな所定表示時間Ｔａ、及び対応の補助率「０．８」をサーバ送受信部２５に送信させる（ステップ７）。
【００９８】
自動取引装置１１において、表示時間補正部５６は、受信した補助率「０．８」と受信した所定表示時間Ｔａとの積を求める（ステップ８）。この積が補正時間として、対応の画面の所定表示時間に相当する。
【００９９】
そして、対応の画面が、それに設けているボタンが選択されない場合、この補正時間表示される（ステップ９）。
このように、年齢別の補助率のテーブルを設けたことにより、顧客の年齢に応じた表示時間でサービスを提供することができる。
尚、上述の実施例において、最初の所定表示時間を別途記憶しておき、例えば、１ヶ月毎に最初の値に戻すようにしてもい。そのようにすれば、所定表示時間の更新が繰り返されることにより、所定表示時間が際限なく短くなってしまうことを防止できる。
【産業上の利用可能性】
【０１００】
本発明に係る金融サービス提供システム及び方法の構成及び動作を金融機関以外のサービス情報提供システムに応用することができる。
【図面の簡単な説明】
【０１０１】
【図１】本発明に係る金融サービス提供システムの実施例１の構成を示すブロック図である。
【図２】顧客個人情報格納部の構成を示す説明図である。
【図３】実施例１におけるサービス情報格納部の構成を示す説明図である。
【図４】本発明に係る金融サービス提供システムの実施例１の動作を示すフローチャートである。
【図５】出金取引処理における処理画面を順次に示す説明図である。
【図６】実施例１における実際表示時間記憶部分の構成を示す説明図である。
【図７】変形例におけるサービス情報格納部の構成を示す説明図である。
【図８】変形例における実際表示時間記憶部分の構成を示す説明図である。
【図９】本発明に係る金融サービス提供システムの実施例２の構成を示すブロック図である。
【図１０】実施例２におけるサービス情報格納部の構成を示す説明図である。
【図１１】本発明に係る金融サービス提供システムの実施例２の動作を示すフローチャートである。
【図１２】本発明に係る金融サービス提供システムの実施例３の構成を示すブロック図である。
【図１３】補助率記憶部の構成を示す説明図である。
【図１４】本発明に係る金融サービス提供システムの実施例３の動作を示すフローチャートである。
【符号の説明】
【０１０２】
１０，４０，５０  金融サービス提供システム
１１  自動取引装置  
１２，４１，５１  顧客関連管理サーバ（サービスサーバ）  
１８  測定部
２７，４６，５２  設定更新部
【図１】
2007026043.tif 000003
【図２】
2007026043.tif 000004
【図３】
2007026043.tif 000005
【図４】
2007026043.tif 000006
【図５】
2007026043.tif 000007
【図６】
2007026043.tif 000008
【図７】
2007026043.tif 000009
【図８】
2007026043.tif 000010
【図９】
2007026043.tif 000011
【図１０】
2007026043.tif 000012
【図１１】
2007026043.tif 000013
【図１２】
2007026043.tif 000014
【図１３】
2007026043.tif 000015
【図１４】
2007026043.tif 000016